(57)【要約】【課題】車両中で再生している楽曲をセンタにアップロードし、リングバックトーンの音源とすることができるリングバックトーン設定システム及びリングバックトーン設定方法を提供する。【解決手段】カーナビゲーションシステム１が、メロディコール設定操作に従い、再生部１５で再生された楽曲の情報を管理センタ３に送信し、管理センタ３が、カーナビゲーションシステム１から送られた楽曲情報を受信することで、該楽曲情報に対応する楽曲をリングバックトーンの音源として設定し、この状態で、携帯端末６からカーナビゲーションシステム１に対して発呼が行われると、管理センタ３が、カーナビゲーションシステム１から送られた楽曲情報に対応する楽曲をリングバックトーンとして携帯端末６に対して音源再生する。これにより、カーナビゲーションシステム１の利用者の好みに合った楽曲を簡単にリングバックトーンの音源として設定することができる。【選択図】図６
2008205992.tif 000002
【特許請求の範囲】
【請求項１】
オーディオ再生を行う再生手段及び前記再生手段で再生した楽曲の情報を送信する通信制御手段を有する車載装置と、前記車載装置から送られた前記楽曲の情報に対応する楽曲をリングバックトーンの音源として設定する設定手段及びリングバックトーン用の音源を格納する音源データベースを有する管理センタと、を具備し、サービス利用者に対して発呼したときに、前記設定手段で設定された前記楽曲をリングバックトーンとして発呼者に対して音源再生することを特徴とするリングバックトーン設定システム。
【請求項２】
前記管理センタは、前記車載装置から送られた前記楽曲の情報に対応する楽曲を前記音源データベースから検索する検索手段を有することを特徴とする請求項１記載のリングバックトーン設定システム。
【請求項３】
前記車載装置を備えた車両はステアリングリモコンを搭載しており、前記ステアリングリモコンにより前記楽曲を選択することを特徴とする請求項１又は請求項２記載のリングバックトーン設定システム。
【請求項４】
車載装置において、オーディオ再生した楽曲の情報を管理センタに送信する工程と、前記管理センタにおいて、前記車載装置から送られた前記楽曲の情報に対応する楽曲をリングバックトーンの音源として設定する工程と、サービス利用者に対して発呼したときに、前記楽曲をリングバックトーンとして発呼者に対して音源再生する工程と、を具備することを特徴とするリングバックトーン設定方法。
【請求項５】
前記管理センタにおいて、前記車載装置から送られた前記楽曲の情報に対応する楽曲を、リングバックトーン用の音源を格納する音源データベースから検索する工程を具備することを特徴とする請求項４記載のリングバックトーン設定方法。
【請求項６】
前記車載装置において、前記車載装置を備えた車両はステアリングリモコンにより前記楽曲を選択する工程を具備することを特徴とする請求項４又は請求項５記載のリングバックトーン設定方法。
【発明の詳細な説明】
【技術分野】
【０００１】
本発明は、発呼者に被呼者を呼出し中であることを知らせるためのリングバックトーン（呼出し音）を設定するリングバックトーン設定システム及びリングバックトーン設定方法に関する。
【背景技術】
【０００２】
通常、リングバックトーンは、ダイヤルトーンと同じ４００Ｈｚの正弦波を１６Ｈｚで振幅変調し、１秒間オン、２秒間オフする断続音としている。近年、着信メロディなどと同様に、リングバックトーンも音楽サービスの対象となってきており、リングバックトーンの音源を変更できるようにした提案がある。特許文献１には、リングバックトーン音源コンテンツを利用者ごとに登録するためのリングバックトーン音源記憶手段と、リングバックトーンを登録した利用者の電話端末から電話発信が行われた場合に、相手発呼中の間に、登録されたリングバックトーン音源コンテンツをリングバックトーンとして利用者の電話端末に送信するためのリングバックトーン音源送出手段とを具備するリングバックトーン音源変更システムが開示されている。
【特許文献１】特開２００４−８８４５２号公報
【発明の開示】
【発明が解決しようとする課題】
【０００３】
ところで、リングバックトーンの音源を変更する場合、従来は、通信事業者やコンテンツ事業者が用意したリングバックトーン音源を用いたり、電話端末の利用者自身がリングバックトーン音源を用意して通信事業者にアップロードしたりしているが、通信事業者やコンテンツ事業者が用意したリングバックトーン音源を用いる場合、用意されたリングバックトーン音源の数に限定があったり、利用者の好みに合ったものが無かったりするなどの問題がある。また、利用者自身がリングバックトーン音源を用意する場合、用意したリングバックトーン音源を通信事業者にアップロードする必要があったり、リングバックトーン可変式の電話端末を新たに設ける必要があったりするなどの問題がある。
【０００４】
また、近年、オーディオ再生機能の他に、固定電話や携帯端末と通信可能な通信機能を備えたカーナビゲーションシステムなどの車載装置が開発されており、この車載装置で再生している楽曲をリングバックトーンの音源にできれば、利用者の好みにあったリングバックトーンを設定することでき、またその設定を簡単にできる可能性があるが、そのような車載装置は実現されていないのが現状である。
【０００５】
本発明はかかる点に鑑みてなされたものであり、車両中で再生している楽曲をセンタにアップロードし、リングバックトーンの音源とすることができるリングバックトーン設定システム及びリングバックトーン設定方法を提供することを目的とする。
【課題を解決するための手段】
【０００６】
本発明のリングバックトーン設定システムは、オーディオ再生を行う再生手段及び前記再生手段で再生した楽曲の情報を送信する通信制御手段を有する車載装置と、前記車載装置から送られた前記楽曲の情報に対応する楽曲をリングバックトーンの音源として設定する設定手段及びリングバックトーン用の音源を格納する音源データベースを有する管理センタと、を具備し、サービス利用者に対して発呼したときに、前記設定手段で設定された前記楽曲をリングバックトーンとして発呼者に対して音源再生することを特徴とする。
【０００７】
この構成によれば、車載装置で再生した楽曲の情報（曲名、歌手名）を管理センタにアップロードすることができ、管理センタでは、車載装置から送られた楽曲の情報に対応する楽曲をリングバックトーン用の音源として設定し、携帯端末などから車載装置の利用者に対して発呼が行われたときに、設定した楽曲をリングバックトーンとしてその発呼者に対して音源再生するので、車載装置の利用者の好みに合った楽曲を簡単にリングバックトーンの音源として設定することができる。
【０００８】
本発明のリングバックトーン設定システムにおいては、前記管理センタは、前記車載装置から送られた前記楽曲の情報に対応する楽曲を前記音源データベースから検索する検索手段を有することが好ましい。
【０００９】
この構成によれば、管理センタが、多数の楽曲を管理している音源データベースを用いて、カーナビゲーションシステムから送られた楽曲の情報に対応する楽曲を検索するので、音源データベースの蓄積量にもよるが、カーナビゲーションシステムの利用者が好む楽曲の殆どをリングバックトーンの音源として設定することができる。
【００１０】
本発明のリングバックトーン設定システムにおいては、前記車載装置を備えた車両はステアリングリモコンを搭載しており、前記ステアリングリモコンにより前記楽曲を選択することが好ましい。
【００１１】
この構成によれば、車両に搭載されたステアリングリモコンによって楽曲の選択ができるので、走行中に例えばラジオ放送から流れた楽曲をそのままリングバックトーンの音源として設定することができる。
【００１２】
本発明のリングバックトーン設定方法は、車載装置において、オーディオ再生した楽曲の情報を管理センタに送信する工程と、前記管理センタにおいて、前記車載装置から送られた前記楽曲の情報に対応する楽曲をリングバックトーンの音源として設定する工程と、サービス利用者に対して発呼したときに、前記楽曲をリングバックトーンとして発呼者に対して音源再生する工程と、を具備することを特徴とする。
【００１３】
この方法によれば、車載装置で再生した楽曲の情報（曲名、歌手名）を管理センタにアップロードすることができ、管理センタでは、車載装置から送られた楽曲の情報に対応する楽曲をリングバックトーン用の音源として設定し、携帯端末などから車載装置の利用者に対して発呼が行われたときに、設定した楽曲をリングバックトーンとしてその発呼者に対して音源再生するので、車載装置の利用者の好みに合った楽曲を簡単にリングバックトーンの音源として設定することができる。
【００１４】
本発明のリングバックトーン設定方法においては、前記管理センタにおいて、前記車載装置から送られた前記楽曲の情報に対応する楽曲を、リングバックトーン用の音源を格納する音源データベースから検索する工程を具備することが好ましい。
【００１５】
この方法によれば、管理センタが、多数の楽曲を管理している音源データベースを用いて、カーナビゲーションシステムから送られた楽曲の情報に対応する楽曲を検索するので、音源データベースの蓄積量にもよるが、カーナビゲーションシステムの利用者が好む楽曲の殆どをリングバックトーンの音源として設定することができる。
【００１６】
本発明のリングバックトーン設定方法においては、前記車載装置において、前記車載装置を備えた車両はステアリングリモコンにより前記楽曲を選択する工程を具備することが好ましい。
【００１７】
この方法によれば、車両に搭載されたステアリングリモコンによって楽曲の選択ができるので、走行中に例えばラジオ放送から流れた楽曲をそのままリングバックトーンの音源として設定することができる。
【発明の効果】
【００１８】
本発明によるリングバックトーン設定システム及びリングバックトーン設定方法は、車載装置で再生した楽曲の情報（曲名、歌手名）を管理センタにアップロードすることができ、管理センタでは、車載装置から送られた楽曲の情報に対応する楽曲をリングバックトーン用の音源として設定し、携帯端末などから車載装置の利用者に対して発呼が行われたときに、設定した楽曲をリングバックトーンとしてその発呼者に対して音源再生するので、車載装置の利用者の好みに合った楽曲を簡単にリングバックトーンの音源として設定することができる。
【発明を実施するための最良の形態】
【００１９】
以下、本発明の実施の形態について、添付図面を参照して詳細に説明する。
図１は、本発明の一実施の形態に係るリングバックトーン設定システムの概略構成を示すブロック図である。図１に示すシステムは、オーディオ再生機能の他に、固定電話や携帯端末と通信可能な通信機能を備えたカーナビゲーションシステム（車載装置）１と、このカーナビゲーションシステム１とゲートウェイ２を介して接続され、カーナビゲーションシステム１でメロディコール設定が行われることで送られてくる楽曲情報を基に楽曲の設定を行うと共に、設定した楽曲をリングバックトーンとして発呼者に対して音源再生を行う管理センタ３と、移動通信網４に接続される交換機５と、交換機５と無線接続され、移動通信網４を介して他の携帯端末との間で通信を行うと共に、移動通信網４からゲートウェイ２を介してカーナビゲーションシステム１との間で通信を行う携帯端末６とから主に構成されている。
【００２０】
図２は、図１に示すカーナビゲーションシステム１の概略構成を示すブロック図である。なお、図２に示す構成は、本発明を説明するために簡略化したものであり、通常のカーナビゲーションシステムに搭載される構成要素は備えているものとする。
【００２１】
カーナビゲーションシステム１は、装置全体を制御する制御部１１と、ゲートウェイ２を介して管理センタ３との間で通信を行うと共に、ゲートウェイ２及び移動通信網４を介して携帯端末６との間で通信を行う通信制御部１２と、楽曲情報（曲名、歌手名）などの各種情報を表示する表示部１３と、カーナビゲーションシステム１を操作するための各種入力を行う操作部１４と、ラジオ放送、ＣＤ（Compact Disc）、ＭＤ（Mini Disk）、テープ等のオーディオ再生を行う再生部を１５と、装置に搭載され、あるいはダウンロードされた種々のアプリケーションを起動するアプリ制御部１６と、楽曲の選択等の走行中でも許可される操作を行うステアリングリモコン１７とから主に構成されている。
【００２２】
通信制御部１２は、メロディコール設定操作が行われた場合に、再生部１５で現在再生されている楽曲の情報又は直前に再生された楽曲の情報を管理センタ３に送信する。図４は通信制御部１２から送信される楽曲情報の一例を示す図である。図４に示す楽曲情報は「ユーザＩＤ（電話番号）」と「曲名」と「アーティスト名（歌手名）」とから構成される。また、図５はメロディコール設定時における表示部１３上の表示遷移の一例を示す図である。表示遷移の制御は、アプリ制御部１６の制御の元で制御部１１によって行われる。
【００２３】
メロディコールの設定は、まず図５の（ａ）に示すように初期画面（”メロディコールの設定”）から始まる。初期画面が一定時間表示された後、図５の（ｂ）に示すように設定画面（”どの音楽を設定しますか？  ○再生中の音楽、○直前の音楽、○設定しない”）が表示される。設定画面で「○再生中の音楽」を選択すると、図５の（ｃ）に示すように、現在再生中の楽曲の情報（曲名、アーティスト名）が表示されると共に、現在再生している楽曲をメロディコールとして設定するためのアイコン５０が表示される。このアイコン５０に触れると（即ち、タッチすると）、現在再生している曲がメロディコールとして設定される。また、このとき、現在再生している曲をメロディコールとして設定中であることを示すアイコン５１が表示される。
【００２４】
また、図５の（ｂ）に示す設定画面で「○直前の音楽」を選択すると、直前に再生した楽曲の情報（曲名、歌手名）が表示される（図示略）。このときもアイコン５０が表示される。そして、このアイコン５０に触れることで、直前に再生した楽曲がメロディコールとして設定される。また、このとき、直前に再生された曲がメロディコールとして設定中であることを示すアイコン５１が表示される。
【００２５】
一方、図５の（ｂ）に示す設定画面で「○設定しない」を選択すると、図５の（ｄ）に示すように、現在再生中の楽曲の情報（曲名、アーティスト名）とアイコン５０のみが表示される。このときアイコン５０に触れることで、現在再生中の楽曲がメロディコールとして設定される。すなわち、設定画面で、現在再生中の楽曲をメロディコールとして設定しない選択をしても、アイコン５０に触れることで、簡単に現在再生中の楽曲をメロディコールとして設定することができる。
【００２６】
楽曲を選択して、それをメロディコールとして設定する操作は、操作部１４の他にステアリングリモコン１７でも行うことができる。特に、ステアリングリモコン１７を使用した場合、例えばＣＤの再生中にそのＣＤに記録されている全ての楽曲の中から任意のものを選択し、それをメロディコールとして設定するといった２段階操作でメロディコールを設定することができる。このステアリングリモコン１７による操作は、特にラジオ放送で流れている楽曲をメロディコールとして設定する場合に便利である。
【００２７】
アプリ制御部１６は、装置に搭載され、あるいはダウンロードされたリングバックトーン設定アプリケーションを起動させる。このカーナビゲーションシステム１用のリングバックトーン設定アプリケーションは、メロディコール設定の有無を判定し、メロディコール設定操作があると、表示部１３にメロディコールを設定するための初期画面を一定時間表示した後、設定画面に切り替え、この設定画面にてどの項目が選択されたかどうかを判定し、「現在再生中の音楽」が選択された場合は現在再生中の楽曲の情報とアイコン５０を表示し、「直前の音楽」が選択された場合は直前に再生された楽曲の情報とアイコン５０を表示し、「設定しない」が選択された場合は現在再生中の楽曲の情報のみ表示し、「現在再生中の音楽」が選択された状態でアイコン５０が触れられると、現在再生中の楽曲の情報を通信制御部１２から管理センタ３に送信し、「直前の音楽」が選択された状態でアイコン５０が触れられると、直前に再生された楽曲の情報を通信制御部１２から管理センタ３に送信するアプリケーションである。
【００２８】
図３は、図１に示す管理センタ３の概略構成を示すブロック図である。管理センサ３は、装置全体を制御する制御部３１と、ゲートウェイ２を介してカーナビゲーションシステム１との間で通信を行う通信制御部３２と、リングバックトーンの音源として多数の楽曲を管理する音源データベース３３と、カーナビゲーションシステム１から送られてきた楽曲情報に対応する楽曲を音源データベース３３から検索する検索部３４と、装置に搭載され、あるいはダウンロードされた種々のアプリケーションを起動するアプリ制御部３５とから主に構成されている。
【００２９】
通信制御部３２は、カーナビゲーションシステム１から送られた楽曲情報を受信する。また、通信制御部３２は、交換機５から送られた設定状態確認を受信する。ここで、設定状態確認とは、着呼側がメロディコールのサービス利用者であって、楽曲の設定がされているかどうかを確認するものである。
【００３０】
また、通信制御部３２は、携帯端末６からカーナビゲーションシステム１に対して発呼があって、カーナビゲーションシステム１側で楽曲の設定がなされている場合、携帯端末６に対してリングバックトーンとして音源再生された楽曲を送信する。
【００３１】
アプリ制御部３５は、装置に搭載され、あるいはダウンロードされたリングバックトーン設定アプリケーションを起動させる。この管理センタ３用のリングバックトーン設定アプリケーションは、カーナビゲーションシステム１から送られる楽曲情報をユーザ毎に管理し、携帯端末６より発呼があって、設定状態確認が交換機５から送られてくると、着信先がメロディコールサービスの利用者であって、メロディコールの設定がなされているかどうかを確認し、メロディコールサービスの利用者であって、メロディコールの設定がなされていれば、当該利用者が設定した楽曲を音源データベース３３から検索し、該当する楽曲があれば、その楽曲をリングバックトーンとして発呼者に対して音源再生するアプリケーションである。
【００３２】
次に、本発明の実施の形態に係るリングバックトーン設定方法について図６を用いて説明する。
まず、カーナビゲーションシステム１において、メロディコールを設定する操作が行われると（ＳＴ１１）、現在再生している楽曲又は直前に再生された楽曲の情報を管理センタ３に送信する（ＳＴ１２）。管理センタ３において、カーナビゲーションシステム１から楽曲情報が送られてくると、その楽曲情報をユーザＩＤ（電話番号）毎に管理すると共に、楽曲情報に対応する楽曲を設定する（ＳＴ１３）。
【００３３】
カーナビゲーションシステム１においてメロディコールの設定が行われている状態で、携帯端末６がカーナビゲーションシステム１に対して発呼すると（ＳＴ１４）、交換機５が管理センタ３に対して、カーナビゲーションシステム１の利用者がメロディコールサービスの利用者であって、メロディコールの設定がなされているかどうかを確認する（ＳＴ１５）。管理センタ３において、交換機５から設定状態の確認があると、カーナビゲーションシステム１から送られた楽曲の情報に対応する楽曲を音源データベース３３から検索する（ＳＴ１６）。目的とする楽曲があれば、その楽曲をリングバックトーンとして発呼者に対して音源再生する（ＳＴ１７）。音源再生された楽曲は携帯端末６でリングバックトーンとして音声出力される（ＳＴ１８）。
【００３４】
このように、本実施の形態に係るリングバックトーン設定システムでは、カーナビゲーションシステム１が、メロディコール設定操作に従い、再生部１５で再生された楽曲の情報を管理センタ３に送信し、管理センタ３が、カーナビゲーションシステム１から送られた楽曲情報を受信することで、該楽曲情報に対応する楽曲をリングバックトーンの音源として設定し、この状態で、携帯端末６からカーナビゲーションシステム１に対して発呼が行われると、管理センタ３が、カーナビゲーションシステム１から送られた楽曲情報に対応する楽曲をリングバックトーンとして携帯端末６に対して音源再生するので、カーナビゲーションシステム１の利用者の好みに合った楽曲を簡単にリングバックトーンの音源として設定することができる。
【００３５】
また、管理センタ３が、多数の楽曲を管理している音源データベース３３を用いて、カーナビゲーションシステム１から送られた楽曲の情報に対応する楽曲を検索するので、音源データベース３３の蓄積量にもよるが、カーナビゲーションシステム１の利用者が好む楽曲の殆どをリングバックトーンの音源として設定することができる。
【００３６】
また、車両に搭載されたステアリングリモコン１７によって楽曲の選択ができるので、走行中に例えばラジオ放送から流れた楽曲をそのままリングバックトーンの音源として設定することができる。
【００３７】
本発明は上記実施の形態に限定されず、種々変更して実施することが可能である。例えば、本発明の範囲を逸脱しない限りにおいて、処理部や処理手順については適宜変更して実施することが可能である。その他、本発明の範囲を逸脱しないで適宜変更して実施することが可能である。
【産業上の利用可能性】
【００３８】
本発明は、固定電話網や携帯電話網を利用して通信を行うシステムに適用可能である。
【図面の簡単な説明】
【００３９】
【図１】本発明の一実施の形態に係るリングバックトーン設定システムの概略構成を示す図である。
【図２】図１に示すシステムにおけるカーナビゲーションシステムの概略構成を示すブロック図である。
【図３】図１に示すシステムにおける管理センタの概略構成を示すブロック図である。
【図４】図１に示すカーナビゲーションシステムから管理センタにアップロードされる楽曲情報の一例を示す図である。
【図５】図１に示すカーナビゲーションシステムのメロディコール設定時における表示遷移の一例を示す図である。
【図６】本発明の実施の形態に係るリングバックトーン設定方法を説明するためのシーケンス図である。
【符号の説明】
【００４０】
１  カーナビゲーションシステム
２  ゲートウェイ
３  管理センタ
４  移動通信網
５  交換機
６  携帯端末
１１，３１  制御部
１２，３２  通信制御部
１３  表示部
１４  操作部
１５  再生部
１６，３５  アプリ制御部
１７  ステアリングリモコン
３３  音源データベース
３４  検索部
【図１】
2008205992.tif 000003
【図２】
2008205992.tif 000004
【図３】
2008205992.tif 000005
【図４】
2008205992.tif 000006
【図５】
2008205992.tif 000007
【図６】
2008205992.tif 000008